(57)【要約】【課題】              取付バネ７を取付バネ受部２５に容易に取り付けることができる埋込プレート１を得る。【解決手段】        ほぼＶ字形状に折り曲げられ、ほぼ中央が円形を描くように折り曲げられる中央リング部１８を有する取付バネ７と、取付バネ７の中央リング部１８を引掛ける引掛爪部１３を有する取付バネ固定部６と、取付バネ固定部６が取り付けられる枠部本体５と、取付バネ７が挿入され、挿入される取付バネ７と嵌合する取付バネ受部２５を有する枠取付部３と、埋込穴２９に取り付けるとき、枠部本体５を前記埋込穴２９にガイドするガイド部１６を備え、取付バネ７を取付バネ受部２５に容易に取り付けることができるとともに、ガイド部１６によって、埋込穴２９に対する枠部本体５の位置合わせを容易に行うことができる。【選択図】          図１
2010073480.tif 000002
【特許請求の範囲】
【請求項１】
天井の埋込穴に取り付けられる埋込プレートにおいて、
ほぼＶ字形状に折り曲げられ、ほぼ中央が円形を描くように折り曲げられる中央リング部を有する取付バネと、
前記取付バネの中央リング部を引掛ける引掛爪部を有する取付バネ固定部と、
前記取付バネ固定部が取り付けられる枠部本体と、
前記取付バネが挿入され、挿入される前記取付バネと嵌合する取付バネ受部を有する枠取付部と、
前記埋込穴に取り付けるとき、前記枠部本体を前記埋込穴にガイドするガイド部と、
を備えることを特徴とする埋込プレート。
【請求項２】
ガイド部は、取付バネ固定部の側面の形状が弓字状に折り曲げて形成され、この折り曲げによって立ち上がる部分であることを特徴とする請求項１に記載の埋込プレート。
【請求項３】
ガイド部は、少なくとも１つのテーパー部を備えることを特徴とする請求項１または請求項２に記載の埋込プレート。
【請求項４】
取付バネ固定部は、弓字状に折り曲げられる側辺のほぼ中央から側面方向に突出し、略Ｌ字形状または略Ｊ字形状に折り曲げられて形成される引掛爪部を備えることを特徴とする請求項１〜請求項３のいずれかに記載の埋込プレート。
【請求項５】
引掛爪部の爪先端部が幅方向のうちの一方向に突出する突出片を備えることを特徴とする請求項４に記載の埋込プレート。
【請求項６】
枠部本体は、被取付機器が挿入される機器挿入部を備え、
枠取付部本体は、被取付機器の取付具が取り付けられる機器取付部を備えることを特徴とする請求項１〜請求項５のいずれかに記載の埋込プレート。
【請求項７】
機器挿入部と幅広部とを連結する連結部を有することを特徴とする請求項６に記載の埋込プレート。
【請求項８】
機器挿入部は、この機器挿入部に沿って立ち上がる内枠補強部を備えることを特徴とする請求項６または請求項７に記載の埋込プレート。
【請求項９】
機器挿入部と機器取付部の大きさは、ほぼ同じ大きさであることを特徴とする請求項６〜請求項８のいずれかに記載の埋込プレート。
【請求項１０】
枠取付部本体は、枠部が取り付けられる面に対してほぼ垂直方向に折り曲げられて形成される枠取付部本体補強部を備えることを特徴とする請求項１〜請求項９のいずれかに記載の埋込プレート。
【請求項１１】
枠取付部本体の幅広部は、枠部が取り付けられるときに、取付バネの中央リング部が挿入されるとともに収納する取付バネ収納部であることを特徴とする請求項１〜請求項１０のいずれかに記載の埋込プレート。
【発明の詳細な説明】
【技術分野】
【０００１】
本発明は、照明器具などの被取付機器を取り付ける取付穴プレートの技術に関するものである。
【背景技術】
【０００２】
天井に加工しないで小型のダウンライトを既設埋込み穴に取付ける天井埋込穴アダプターなどがある。（例えば、特許文献１または特許文献２参照。）
【０００３】
【特許文献１】特開２００４−２０７１９１号公報（段落「０００５」、図１）
【特許文献２】特開２００６−５４１００号公報（段落「００２３」、図１）
【発明の開示】
【発明が解決しようとする課題】
【０００４】
しかしながら、既設ダウンライト用埋込穴に対する位置決めのガイドが天井裏側の天井取付金具にあるため、天井取付枠の取付バネを角穴に挿入する際に、天井取付金具がずれ易く、天井取付枠を取り付ける作業性が悪くなる恐れがあった。
【０００５】
また、取り付けた天井取付枠及び天井取付金具の位置がずれることにより、既設ダウンライト用埋込穴が見えてしまい、意匠性に劣る恐れがあった。
【０００６】
また、天井取付枠の取付力を強くするために、角穴の大きさを取付バネの大きさに近づけると、取付バネを角穴に挿入し難くなり、角穴の大きさを取付バネよりも大きくすると、取付バネを角穴に挿入し易くなるものの、天井取付枠の取付力が弱くなる恐れがあった。
【０００７】
本発明は、例えば、取付バネを取付バネ受部に容易に取り付けることができる埋込プレートを得ることを目的とする。
【課題を解決するための手段】
【０００８】
本発明に係る埋込プレートは、ほぼＶ字形状に折り曲げられ、ほぼ中央が円形を描くように折り曲げられる中央リング部を有する取付バネと、前記取付バネの中央リング部を引掛ける引掛爪部を有する取付バネ固定部と、前記取付バネ固定部が取り付けられる枠部本体と、前記取付バネが挿入され、挿入される前記取付バネと嵌合する取付バネ受部を有する枠取付部と、前記埋込穴に取り付けるとき、前記枠部本体を前記埋込穴にガイドするガイド部と、を備えることを特徴とする。
【発明の効果】
【０００９】
本発明によれば、取付バネを取付バネ受部に容易に取り付けることができるとともに、ガイド部によって、埋込穴に対する枠部本体の位置合わせを容易に行うことができる。
【発明を実施するための最良の形態】
【００１０】
実施の形態１．
図１を用いて、本実施の形態の埋込プレートの構造について説明する。
【００１１】
図１は、本実施の形態の埋込プレートを示す分解斜視図であり、図１（ａ）は、本実施の形態の埋込プレートの裏面側から見たときの斜視図であり、図１（ｂ）は、本実施の形態の埋込プレートの化粧面から見たときの斜視図であり、図２は、図１に示す埋込プレートの一部分の拡大斜視図であり、図２（ａ）は、取付バネの拡大斜視図であり、図２（ｂ）は、取付バネ固定部の拡大斜視図であり、図２（ｃ）は、図２（ａ）に示す取付バネと図２（ｂ）に示す取付バネ固定部とを組み合わせた状態を示す拡大斜視図である。
【００１２】
埋込プレート１は、枠部２と、枠部２が取り付けられる枠取付部３を備える。
【００１３】
枠部２は、外周が略円形で、中央部が開口する略ドーナツ形状をなし、一面に化粧面４を有する枠部本体５と、枠部本体５の化粧面４の裏面側に溶接して取り付けられている取付バネ固定部６と、取付バネ固定部６に取り付けられる取付バネ７を備える。
【００１４】
枠部本体５は、中央部の開口する部分に後述する被取付機器８が挿入される機器挿入部９を有するとともに、この挿入部９からほぼ垂直に立ち上がる内枠補強部１０と、外周からほぼ垂直に立ち上がる外枠補強部１１を備える。この内枠補強部１０と、外枠補強部１１によって、枠部本体５の強度を高めている。
【００１５】
取付バネ固定部６は、側面の形状が略弓字状に折り曲げて形成され、ほぼ中央部分の取付バネ引掛部１２と、取付バネ引掛部１２の側辺から突出して取付バネ７が取り付けられる引掛爪部１３と、引掛爪部１３の先端部分が折り曲げられ、取り付けられる取付バネ７を外れ難くする爪先端部１４と、枠部本体５に溶接により取り付ける取付面１５と、取付面１５から立ち上げられて形成されるガイド部１６と、ガイド部１６の角を落とすように傾斜するテーパー部１７と、を備える。
【００１６】
取付バネ７は、針金を略Ｖ字状に折り曲げられて形成され、中央部が円を描くように曲げられる中央リング部１８と、中央リング部１８の両側からほぼ直線状に広がっており、弾性を有するバネ部１９と、バネ部１９の先端が円を描くように折り曲げられる先端リング部２０とを備える。
【００１７】
枠取付部３は、略小判形状をなし、ほぼ中央部に開口穴が開けられ、後述する被取付機器８の取付具１０２が係止する機器取付部２２を有する枠取付部本体２３と、枠取付部本体２３の外周がほぼ直線状になる２つの側辺が折り曲げられて、枠取付部本体２３の強度を補強する枠取付部本体補強部２４と、枠取付部本体２３の外周がほぼ円弧状になる２つの側辺の内側かつ枠取付部本体２３の中心線上の位置に配置され、取付バネ７と係合する取付バネ受部２５を備えている。
【００１８】
取付バネ受部２５は、取付バネ７の中央リング部２０が収納される幅広部２６（取付バネ収納部）と、取付バネ７の先端リング部２０またはバネ部１９が接触して係合する幅狭部２７からなり、取付バネ７の先端リング部２０またはバネ部１９と係合して、枠部２を枠取付部３に着脱可能に固定する。
【００１９】
次に、図３〜図６を用いて、埋込プレートを天井に設けられる埋込穴に取り付ける取り付け動作について説明する。
【００２０】
図３〜図６は、枠部を枠取付部に取り付ける過程を示す図であり、図３は、枠取付部に枠部の取り付けバネを取り付けた状態を示す埋込プレートの斜視図、図４は、図３に示す埋込プレートを天井の埋込穴に挿入する状態を示す斜視図、図５は、図３に示す埋込プレートが、天井の埋込穴に挿入された状態を示す斜視図、図６は、図３に示す埋込プレートを天井の埋込穴に取り付けられた状態を示す斜視図である。
【００２１】
Ｖ字状に広がっている取付バネのバネ部１９を、それぞれ先端リング部２０を狭める方向に縮め、先端リング部２０を幅広部２６に挿入する。
【００２２】
先端リング部２０を狭める方向に縮めたバネ部１９を広げると、先端リング部２０が幅狭部２７に入り、取付バネ７のバネ部１９と幅狭部２７が接触して係合する。
【００２３】
枠取付部本体２３の一方の円弧部を天井材２８に開けられている埋込穴２９に斜め方向に挿入していき、他方の円弧部が埋込穴２９に挿入できる位置まで挿入する。次に、他方の円弧部をほぼ垂直方向に挿入し、枠取付部本体２３が、天井材２８に対して水平方向、かつ一方の円弧部を挿入したときの方向とは反対方向に移動する。
【００２４】
埋込穴２９に枠取付部本体２３を挿入した後、枠部本体５を天井材２８の方向に押し上げ、ガイド部１６を埋込穴２９に挿入して、枠部本体５を天井材２８の天井面に接触させる。
【００２５】
枠部本体５を天井材２８の天井面に接触させた後、枠取付部本体２３を枠部本体５側に押し下げると取付バネ７が広がり、枠部本体５と枠取付部本体２３が天井材２８を挟み込んで、埋込プレート１が埋込穴２９に固定される。
【００２６】
次に、図７、図８を用いて、埋込穴に取り付けられた埋込プレートに、照明器具などの被取付機器を取り付ける取付動作について説明する。
【００２７】
図７は、照明器具の斜視図であり、図８は、図６に示す埋込穴に取り付けられた埋込プレートに、図７に示す照明器具を取り付けた状態を示す斜視図である。
【００２８】
照明器具１００は、つば付き帽子形状の照明器具本体１０１と、照明器具本体１０１の側壁から突出する少なくとも２つの取付具１０２と、ランプや電子回路が発熱する熱を放熱する放熱フィン１０３を有する。
【００２９】
埋込穴２９に埋込プレート１を取り付けた後、取付具１０２を照明器具本体１０１側に狭めて、照明器具本体１０１を埋込プレート１の機器挿入部９に挿入する。
【００３０】
照明器具本体１０１をある程度挿入（取付具１０２の先端部分が枠取付部３よりも天井裏側まで挿入）後、取付具１０２を広げ、さらに照明器具本体１０１を埋込プレート１側に押し上げる。
【００３１】
このとき、取付具１０２が埋込プレート１の機器取付部２２の内枠に係合して、照明器具１００は埋込プレート１に固定される。
【００３２】
以上のように、埋込穴２９に埋込プレート１を容易に取り付けることができ、さらに、取り付けた埋込プレート１に照明器具１００などの被取付機器を容易に取り付けることができる。
【００３３】
また、枠部本体５に開けられる開口の穴径（機器挿入部９の直径）を長さＡ、枠取付部３に開けられる開口の穴径（機器取付部２２の直径）を長さＢ、枠部本体５の対角線上に配置されるガイド部１６同士を結ぶ線の長さＣ、天井材２８の埋込穴２９の穴径を長さＤとする。このとき、それぞれの長さを、長さＡ≒長さＢ＜長さＣ≦長さＤとするとよい。
【００３４】
なお、本実施の形態では、取付バネ固定部６を溶接して枠部本体５に取り付ける場合について説明したが、溶接に限定されず、リベットやネジなどによって固定してもよい。
【００３５】
また、本実施の形態では、枠取付部３の直線部分に枠取付部本体補強部２４を備える場合について説明したが、直線部分を折り曲げる枠取付部本体補強部２４を設けることなく、直線部分を形成する面に凹凸やリブを設けて、枠取付部本体２３の強度を増すようにしてもよい。
【００３６】
また、本実施の形態では、枠部２を枠取付部３に取り付けてから、埋込穴２９に固定する場合について説明したが、埋込穴２９に枠取付部３を挿入してから、枠部２を枠取付部３に取り付けてもよい。
【００３７】
また、本実施の形態では、照明器具１００の取付具１０２として、板バネを用いる場合について説明したが、埋込プレート１に照明器具１００を挿入した後に、照明器具１００の内側から突出させて天井材２８の裏面に固定する爪部を用いてもよい。
【００３８】
このように、埋込プレート１を天井材２８の埋込穴２９に容易に取り付けることができるので、直径の大きい既設の照明器具１００’を取り外して、直径の小さい新しい照明器具１００を取り付ける際、この埋込プレートを取り付けることによって、新たに埋込穴２９’を設けることなく、新しい照明器具１００を取り付けることができる。
【００３９】
また、天井材２８の埋込穴２９を開ける作業をする際、誤って照明器具１００の直径（取付寸法）よりも大きく開けてしまった場合であっても、この埋込プレート１を用いることによって、照明器具１００を取り付けることができる。
【００４０】
なお、本実施の形態の枠取付部本体２３の枠取付部本体補強部２４は、枠取付部３の折曲がりに対して補強する場合について説明したが、枠取付部本体補強部２４が枠部本体５の方向に枠取付部本体２３から突出するように用いてもよい。このようにすることで、枠取付部本体補強部２４は、枠取付部本体２３の折り曲げ強度を増すとともに、枠取付部本体補強部２４が埋込穴２９の内周に接触して、枠取付部本体２３がずれるのを防止し、また、枠取付部本体補強部２４が埋込穴２９に対する枠取付部本体２３の位置をガイドすることができる。
【００４１】
また、本実施の形態に示した照明器具１００は、埋込プレート１に被取付機器８を取り付ける動作を説明するための一例であって、照明器具１００の外形が埋込プレート１の機器挿入部９及び機器取付部２２に挿入できる形状、かつ、埋込プレート１の機器挿入部９及び機器取付部２２に挿入した後、埋込プレート１に係止する取付具１０２を備えていれば、本実施の形態に示す照明器具１００の形状に限定されない。
【００４２】
また、埋込プレート１に取り付けられる被取付機器８は、照明器具１００に限定されず、人体などを検知する人感センサユニットや、居室内の明るさを検知する明るさセンサユニットなどであってもよい。
【００４３】
実施の形態２．
本実施の形態は、実施の形態１に示す埋込プレートの取付バネが取り付けられる取付バネ固定部の形状が異なるものである。
【００４４】
本実施の形態において、実施の形態１に示す部分と同じ構成の部分は同符号を付し、説明を省略する。
【００４５】
図９〜図１１を用いて、本実施の形態の埋込プレートの説明をする。
【００４６】
図９は、本実施の形態を示す埋込プレートの分解斜視図であり、図１０は、図９に示す埋込プレートの一部分の拡大斜視図であり、図１０（ａ）は、取付バネの拡大斜視図であり、図１０（ｂ）は、取付バネ固定部の拡大斜視図であり、図１０（ｃ）は、図１０（ａ）に示す取付バネと図１０（ｂ）に示す取付バネ固定部とを組み合わせた状態を示す拡大斜視図であり、図１１は、本実施の形態を示す埋込プレートの枠部を枠取付部に取り付けた状態を示す斜視図である。
【００４７】
取付バネ固定部６ａは、側面の形状が略弓字状に折り曲げて形成され、ほぼ中央部分の取付バネ引掛部１２ａと、取付バネ引掛部１２ａの側辺から突出して取付バネ７が取り付けられる引掛爪部１３ａと、引掛爪部１３ａの先端部分が折り曲げられ、取り付けられる取付バネ７を外れ難くする爪先端部１４ａと、この爪先端部１４ａから側面の一方向に突出する突出片５０と、枠部本体５に溶接により取り付ける取付面１５と、取付面１５から立ち上げられて形成されるガイド部１６と、ガイド部１６の角を落とすように傾斜するテーパー部１７と、を備える。
【００４８】
このように突出片５０を備えることで、取付バネ７を引掛爪部１３ａに取り付けるとき、中央リング部１８を突出片５０に通しても引掛爪部１３ａに取り付ける取付性が劣ることが少なく、取付バネ７を引掛爪部１３ａに取り付けた後は、取付バネ７が突出片５０に引っ掛かるので、外れ難くすることができる。
【００４９】
この実施の形態における埋込プレート１を埋込穴２９に取り付ける動作・過程は、実施の形態１と同様であるので、説明を省略する。
【００５０】
実施の形態３．
本実施の形態は、実施の形態１に示す埋込プレートの取り付けバネ受け部と、取付バネが取り付けられる取付バネ固定部の形状が異なるものである。
【００５１】
本実施の形態において、実施の形態１に示す部分と同じ構成の部分は同符号を付し、説明を省略する。
【００５２】
図１２、図１３を用いて、本実施の形態の埋込プレートの説明をする。
【００５３】
図１２は、本実施の形態を示す埋込プレートの分解斜視図であり、図１３は、本実施の形態を示す埋込プレートの枠部を枠取付部に取り付けた状態を示す斜視図である。
【００５４】
埋込プレート１は、枠部２と、枠部２が取り付けられる枠取付部３ａを備える。
【００５５】
枠部２は、取付バネ７が取り付けられる取付バネ固定部６ｂを備える。
【００５６】
取付バネ固定部６ｂは、断面形状が略コ字状部分と、略コ字状部分の一端から側方に突出する一辺部分となっており、突出する一辺部分が取付バネの中央リング部１８に挿入されて、取付バネ７が取り付けられる。また、略コ字状部分の他端は、埋込穴２９に挿入するときのガイド部１６ａとなっている。
【００５７】
取付バネ受部２５ａは、幅広部２６ａと、幅狭部２７と、この幅広部２６ａが枠取付部本体２３ａのほぼ中央に設けられる機器取付部２２と繋がる連結部６０を有する。
【００５８】
次に、枠部２を枠取付部３に取り付ける動作について説明する。
【００５９】
取付バネ７の先端リング部２０を狭めて、枠取付部本体２３ａの機器取付部２２に挿入し、次に連結部６０を通して、幅広部２６ａに先端リング部２０を誘導する。
【００６０】
先端リング部２０を幅広部２６ａに誘導した後、狭めていた先端リング部２０を広げると、先端リング部２０（バネ部１９）は幅狭部２７に誘導され、バネ部１９が幅狭部に係合する。
【００６１】
以降、実施の形態１と同様に、埋込穴２９に枠取付部３ａを挿入して、枠部２を天井材２８に当接させた後、枠取付部本体２３ａを押し下げる。
【００６２】
このように、取付バネ受部２５ａの幅広部２６ａと、枠取付部本体２３ａの機器取付部２２を接続する連結部６０を有するので、取付バネ７の先端リング部１８を幅広部２６ａに挿入し易くすることができる。
【図面の簡単な説明】
【００６３】
【図１】実施の形態１における埋込プレートを示す分解斜視図である。
【図２】実施の形態１における埋込プレートの一部を示す拡大斜視図である。
【図３】実施の形態１における埋込プレートを取り付ける動作を示す斜視図である。
【図４】実施の形態１における埋込プレートを取り付ける動作を示す斜視図である。
【図５】実施の形態１における埋込プレートを取り付ける動作を示す斜視図である。
【図６】実施の形態１における埋込プレートを取り付ける動作を示す斜視図である。
【図７】実施の形態１における埋込プレートに取り付けられる照明器具を示す斜視図である。
【図８】実施の形態１における埋込プレートに照明器具を取り付けた状態を示す斜視図である。
【図９】実施の形態２における埋込プレートを示す分解斜視図である。
【図１０】実施の形態２における埋込プレートの一部を示す拡大斜視図である。
【図１１】実施の形態２における埋込プレートの枠取付部に枠部を取り付ける状態を示す斜視図である。
【図１２】実施の形態３における埋込プレートを示す分解斜視図である。
【図１３】実施の形態３における埋込プレートの枠取付部に枠部を取り付ける状態を示す斜視図である。
【符号の説明】
【００６４】
１  埋込プレート、２  枠部、３、３ａ  枠取付部、４  化粧面、５  枠部本体、６、６ａ、６ｂ  取付バネ固定部、７  取付バネ、８  被取付機器、９  機器挿入部、１０  内枠補強部、１１  外枠補強部、１２、１２ａ  取付バネ引掛部、１３、１３ａ  引掛爪部、１４、１４ａ  爪先端部、１５  取付面、１６、１６ａ  ガイド部、１７  テーパー部、１８  中央リング部、１９  バネ部、２０  先端リング部、２２  機器取付部、２３、２３ａ  枠取付部本体、２４  枠取付部本体補強部、２５、２５ａ  取付バネ受部、２６、２６ａ  幅広部、２７  幅狭部、２８  天井材、２９、２９’  埋込穴、５０  突出片、６０  連結部、１００、１００’  照明器具、１０１  照明器具本体、１０２  取付具、１０３  放熱フィン。
【図１】
2010073480.tif 000003
【図２】
2010073480.tif 000004
【図３】
2010073480.tif 000005
【図４】
2010073480.tif 000006
【図５】
2010073480.tif 000007
【図６】
2010073480.tif 000008
【図７】
2010073480.tif 000009
【図８】
2010073480.tif 000010
【図９】
2010073480.tif 000011
【図１０】
2010073480.tif 000012
【図１１】
2010073480.tif 000013
【図１２】
2010073480.tif 000014
【図１３】
2010073480.tif 000015